(57)【特許請求の範囲】
【請求項１】
第１のユニットと、
第２のユニットと、
前記第１及び第２のユニットにまたがる搬送路と、
前記第１及び第２のユニットの境界領域の前記第１のユニット側及び前記第２のユニット側にそれぞれ設けられた、媒体を検知する複数の媒体検知部と、
表示部と、
を備え、
前記境界領域の前記第１のユニット側及び前記第２のユニット側のいずれか一方の側の前記媒体検知部が、前記境界領域にある前記搬送路の部分に残留した残留媒体を検知した場合には、前記表示部が、前記第１のユニット内の残留と前記第２のユニット内の残留とを表示する、媒体処理装置。
【請求項２】
前記表示部は、前記第１のユニット内の残留と前記第２のユニット内の残留とを表示する際には、前記境界領域にある前記搬送路の前記第１のユニット側部分を示す箇所と、前記境界領域にある前記搬送路の前記第２のユニット側部分を示す箇所とに、残留表示を行う、請求項１に記載の媒体処理装置。
【請求項３】
前記第１のユニット又は前記第２のユニットが前記媒体処理装置から引出されたことを検知するユニット検知部をさらに備え、
前記境界領域の前記第１のユニット側及び前記第２のユニット側のいずれか一方の側の前記媒体検知部が、前記第１及び第２のユニットの境界にある前記搬送路の部分に残留した残留媒体を検知し、前記表示部が前記第１のユニット内の残留と前記第２のユニット内の残留とを表示した後に、
前記ユニット検知部が前記第１のユニット又は前記第２のユニットが引出されたことを検知し、且つ、前記残留媒体を検知した前記媒体検知部が前記残留媒体を検知しない場合には、
前記表示部が、前記第１のユニット及び前記第２のユニットのうちの、前記残留媒体を検知しなくなった前記媒体検知部に対応する側についての残留の表示を停止する、
請求項１又は２に記載の媒体処理装置。
【請求項４】
前記表示部が、前記第１のユニット及び前記第２のユニットの一方の前記残留媒体の残留の表示を停止した後、前記表示部は前記一方の前記残留媒体の残留解消を表示する、請求項３に記載の媒体処理装置。
【請求項５】
前記残留の表示と前記残留解消の表示とは、互いを目視において区別することが可能な表示である、請求項４に記載の媒体処理装置。
【請求項６】
前記表示部は、保守員が前記媒体処理装置を保守する際に使用する保守用表示部からなる、請求項１から５のいずれか１項に記載の媒体処理装置。
【発明の詳細な説明】
【技術分野】
【０００１】
本発明は、媒体処理装置に関する。
【背景技術】
【０００２】
金融機関（消費者金融、銀行など）に設置される紙幣処理装置は、顧客との取引内容に応じて、顧客に紙幣や硬貨等の現金を入金させる入金取引や、顧客へ現金を出金する出金取引等の各種取引を行うように構成される。
【０００３】
紙幣処理装置内では、搬送路により紙幣が搬送される。紙幣の搬送時に、紙幣処理装置内で紙幣つまり（ジャム）が発生した場合、下記特許文献１では、紙幣処理装置の各所に設けられたセンサが残留した紙幣を検知し、検知された残留紙幣の位置を保守用画面に表示する。保守員は、紙幣つまりを解消するため、その画面表示を参照しながら残留紙幣を紙幣処理装置から除去する作業を行う。
【先行技術文献】
【特許文献】
【０００４】
【特許文献１】特開２００８−０２０９８３号公報
【発明の概要】
【発明が解決しようとする課題】
【０００５】
紙幣処理装置のような媒体処理装置においては、上述のように、その内部に媒体が残留することがあり、媒体処理を継続するためには残留した残留媒体を除去する必要がある。この残留媒体の除去作業の間、媒体処理装置による媒体処理が停止することとなるため、できるだけ早く残留媒体を除去することが求められる。すなわち、媒体処理装置においては、その内部に媒体の残留が発生した場合には、残留媒体を迅速に発見し、除去することが求められる。
【０００６】
そこで、本発明は、上記問題に鑑みてなされたものであり、本発明の目的とするところは、残留媒体の発見を容易にすることが可能な、新規且つ改良された媒体処理装置を提供することにある。
【課題を解決するための手段】
【０００７】
上記課題を解決するために、本発明のある観点によれば、第１のユニットと、第２のユニットと、前記第１及び第２のユニットにまたがる搬送路と、前記第１及び第２のユニットの境界領域の前記第１のユニット側及び前記第２のユニット側にそれぞれ設けられた、媒体を検知する複数の媒体検知部と、表示部と、を備え、前記境界領域の前記第１のユニット側及び前記第２のユニット側のいずれか一方の側の前記媒体検知部が、前記境界領域にある前記搬送路の部分に残留した残留媒体を検知した場合には、前記表示部が、前記第１のユニット内の残留と前記第２のユニット内の残留とを表示する、媒体処理装置が提供される。
【０００８】
前記表示部は、前記第１のユニット内の残留と前記第２のユニット内の残留とを表示する際には、前記境界領域にある前記搬送路の前記第１のユニット側部分を示す箇所と、前記境界領域にある前記搬送路の前記第２のユニット側部分を示す箇所とに、残留表示を行うことができる。
【０００９】
前記媒体処理装置は、前記第１のユニット又は前記第２のユニットが前記媒体処理装置から引出されたことを検知するユニット検知部をさらに備え、前記境界領域の前記第１のユニット側及び前記第２のユニット側のいずれか一方の側の前記媒体検知部が、前記第１及び第２のユニットの境界にある前記搬送路の部分に残留した残留媒体を検知し、前記表示部が前記第１のユニット内の残留と前記第２のユニット内の残留とを表示した後に、前記ユニット検知部が前記第１のユニット又は前記第２のユニットが引出されたことを検知し、且つ、前記残留媒体を検知した前記媒体検知部が前記残留媒体を検知しない場合には、前記表示部が、前記第１のユニット及び前記第２のユニットのうちの、前記残留媒体を検知しなくなった前記媒体検知部に対応する側についての残留の表示を停止することができる。
【００１０】
前記表示部が、前記第１のユニット及び前記第２のユニットの一方の前記残留媒体の残留の表示を停止した後、前記表示部は前記一方の前記残留媒体の残留解消を表示することができる。
【００１１】
前記残留の表示と前記残留解消の表示とは、互いを目視において区別することが可能な表示であることができる。
【００１２】
前記表示部は、保守員が前記媒体処理装置を保守する際に使用する保守用表示部からなることができる。
【発明の効果】
【００１３】
以上説明したように本発明によれば、残留媒体の発見を容易にすることが可能である。
【図面の簡単な説明】
【００１４】
【図１】本発明の第１の実施形態に係る紙幣処理装置の外観を示す斜視図である。
【図２】本発明の第１の実施形態に係る紙幣処理装置の後側を示す斜視図である。
【図３】本発明の第１の実施形態に係る紙幣入出金機の断面図である。
【図４】紙幣入出金機に紙幣が残留した状態を示す図である。
【図５】第１の実施形態に係る保守用操作表示部の表示を示す図である。
【図６】第１の実施形態に係る残留紙幣表示処理のフローチャートである。
【図７】第２の実施形態に係る保守用操作表示部の表示を示す図である。
【図８】第２の実施形態に係る残留紙幣表示処理のフローチャートである。
【図９】第３の実施形態に係る保守用操作表示部の表示を示す図（その１）である。
【図１０】第３の実施形態に係る保守用操作表示部の表示を示す図（その２）である。
【図１１】第３の実施形態に係る容量表示処理のフローチャートである。
【図１２】第４の実施形態に係る保守用操作表示部の表示を示す図（その１）である。
【図１３】第４の実施形態に係る保守用操作表示部の表示を示す図（その２）である。
【図１４】第４の実施形態に係る保守用操作表示部の表示を示す図（その３）である。
【図１５】第４の実施形態に係る容量表示処理のフローチャートである。
【図１６】第５の実施形態に係る紙幣入出金機の外観を示す斜視図である。
【図１７】第５の実施形態に係るカバーを示す斜視図である。
【図１８】第５の実施形態に係るカバーの動作を説明するための斜視図である。
【図１９】第５の実施形態に係る保守用表示部の表示を示す図である。
【図２０】第５の実施形態に係る表示処理のフローチャートである。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１． 第１の実施形態＞
（１．紙幣処理装置の内部構成例）
図１は、本発明の実施形態としての紙幣処理装置１の外観を示す斜視図である。紙幣処理装置１は、例えば銀行などの金融機関に配置されており、顧客の操作に応じて入金、出金、振込等の各種取引を行うための装置である。以下の説明においては、紙幣処理装置１の顧客が対峙する側を紙幣処理装置１の前とし、その反対側を紙幣処理装置１の後とする。
【００１７】
図１に示すように、紙幣処理装置１は、箱状の筐体１２で構成されている。さらに、筐体１２の前側には、紙幣投入口２１、紙幣受取口２２、カード投入口２４、及び操作表示部２５が設けられている。
【００１８】
紙幣投入口２１は、顧客による紙幣の入金口としての機能を有する。紙幣受取口２２は、顧客への紙幣の出金口としての機能を有する。また、紙幣投入口２１及び紙幣受取口２２は、主制御部１７により開閉制御されるシャッタ（図示せず）を有する。さらに、各シャッタの下方には収容器（図示せず）が設けられている。紙幣投入口２１のシャッタは、入金取引において顧客が収容器に紙幣を投入する際には開き、顧客が紙幣を投入し終わると閉じるように制御される。この後、収容器（図示せず）に投入された紙幣は、計数され、後で説明する一時保留部４１に収納される。また、紙幣受取口２２のシャッタは、必要な紙幣が後で説明する収納庫４２から収容器（図示せず）に搬送されるまでは閉じられ、必要な紙幣が収容器に集積された際には開くように制御される。
【００１９】
カード投入口２４は、顧客による例えばキャッシュカードなどの挿入口及び顧客へのカードの排出口としての機能を有する。カード投入口２４の奥には、カードリーダ部（図示せず）が設けられ、カードリーダ部（図示せず）は、顧客がカード投入口２４から投入したカードを受付し、返却する機構（図示せず）と、投入されたカードのデータを読み取るための機構（図示せず）を有する。
【００２０】
操作表示部２５は、操作画面を表示する表示部、及び顧客操作を検知する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。
【００２１】
筐体１２の内部には、紙幣処理装置１全体を統括制御する主制御部１７や、紙幣に関する種々の処理を行う紙幣入出金機１８が設けられている。主制御部１７は、図示しないＣＰＵ（Ｃｅｎｔｒａｌ  Ｐｒｏｃｅｓｓｉｎｇ  Ｕｎｉｔ）を中心に構成されており、図示しないＲＯＭ（Ｒｅａｄ  Ｏｎｌｙ  Ｍｅｍｏｒｙ）やフラッシュメモリ等から所定のプログラムを読み出して実行することにより、入金処理や出金処理等の種々の処理を行う。また、主制御部１７は、内部にＲＡＭ（Ｒａｎｄｏｍ  Ａｃｃｅｓｓ  Ｍｅｍｏｒｙ）、ハードディスクドライブやフラッシュメモリ等からなる記憶部（図示せず）を有し、この記憶部（図示せず）に種々の情報を記憶させることができる。
【００２２】
図２は、本発明の実施形態としての紙幣処理装置１の後側を示す斜視図である。紙幣処理装置１は、筐体１２における操作表示部２５の反対側、すなわち、後側に設けられた開閉可能な後扉１３を有する。この後扉１３は通常施錠されており、保守等の際に施錠が解除される。さらに、後扉１３には、図２に示すように保守用操作表示部２６が設けられており、保守員が紙幣処理装置１の保守等を行う際に用いられる。保守用操作表示部２６は、操作表示部２５と同様に、操作画面及び保守情報を表示する表示部及び保守員操作を検知する保守員操作部としての機能を包含する。表示部としての機能は、例えば、ＣＲＴディスプレイ装置、液晶ディスプレイ装置、ＯＬＥＤ装置により実現される。また、保守員操作部としての機能は例えばタッチパネルにより実現される。
【００２３】
図３は、紙幣入出金機１８の構成を示す断面図である。紙幣入出金機１８は、大きく分けて、上下方向のほぼ中央よりも上側部分を占める上部ユニット３１と、その下側部分を占める下部ユニット３２とにより構成されている。各ユニット３１、３２は、点検等のために紙幣入出金機１８から引出すことができ、図示しないセンサにより各ユニット３１、３２の引出しは検知され、検知結果が主制御部１７に通知される。なお、この図示しないセンサは例えば光学式センサからなることができる。
【００２４】
上部ユニット３１には、先に説明した紙幣投入口２１及び紙幣受取口２２と、紙幣を一時的に収納する一時保留部４１と、特定の紙幣を収納するリジェクト庫４４と、紙幣の鑑別を行う鑑別部４５とが設けられている。下部ユニット３２には、紙幣を収納する収納庫４２が設けられている。さらに、上部ユニット３１と下部ユニット３２とをまたがるように図中太線で示される搬送路４３が設けられている。
【００２５】
鑑別部４５は、その内部に複数種類のセンサ（図示せず）が組み込まれており、搬送される紙幣の金種、真偽、正損（損傷しているか否か）を読み取り、その読取情報に基づいて紙幣を鑑別する。
【００２６】
リジェクト庫４４は、内部に紙幣を収納する空間を有している。このリジェクト庫４４は、鑑別部４５により損傷の程度が大きく再利用すべきで無い紙幣として鑑別された紙幣をリジェクト紙幣として内部に収納する。
【００２７】
一時保留部４１は、紙幣の分離と集積の両方の機能を有する。例えば、一時保留部４１は、入金取引時に紙幣投入口２１から投入された紙幣を一時的に集積する。一時保留部４１に集積された紙幣は、入金した紙幣の口座計上などが確定した等、取引が成立した場合に繰り出され、収納庫４２に搬送路４３により搬送される。
【００２８】
収納庫４２は、紙幣を金種毎に収納可能な紙幣収納部であり、紙幣入出金機１８の下部ユニット３２から引出し、脱着することができる構造になっており、個別に交換することにより紙幣を装填することが可能である。さらに、収納庫４２は、搬送路４３に紙幣を繰り出す機構（図示せず）と、搬送路４３により搬送された紙幣を収納庫４２内に集積する機構（図示せず）とを有する。例えば、収納庫４２から繰り出された紙幣は、搬送路４３を経由して紙幣受取口２２の下方に設けられた収容器（図示せず）に集積される。なお、収納庫４２が下部ユニット３２から引出された場合には、図示しないセンサによりその旨を検知し主制御部１７に通知する。この図示しないセンサは例えば光学式センサからなることができる。また、各収納庫４２には収納された紙幣の容量を計測するための複数のセンサ（図示せず）が設けられており、その検知結果は主制御部１７に通知される。
【００２９】
搬送路４３は、上部ユニット３１及び下部ユニット３２の各所に紙幣を搬送するために紙幣入出金機１８全体に敷設されている。この搬送路４３には、回転するローラ（図示せず）や紙幣を案内する切替部（図示せず）が適宜配置されており、ローラ及び切替部を制御することにより紙幣を所望の位置に搬送することができる。
【００３０】
また、上部ユニット３１及び下部ユニット３２の搬送路４３の各所に、紙幣つまりを検知するためのセンサ５０（５０ａ、５０ｂ、５０ｃ、５０ｄ、５０ｅ）が設けられている。センサ５０は図３に示される数に限定されることはなく、紙幣処理装置１の各所に設けられる。センサ５０としては、例えば、残留紙幣により光が遮られることにより残留紙幣を検知する光学式センサを用いることができる。
【００３１】
（２．残留紙幣の表示及び紙幣つまりの解消）
第１の実施形態に係る残留紙幣の表示及び紙幣つまりの解消について説明する前に、以下の説明における紙幣つまりについて説明する。図４は、紙幣入出金機１８の上部ユニット３１と下部ユニット３２との境界領域に残留紙幣６０が残留した状態を示す断面図である。残留紙幣６０は、上部ユニット３１及び下部ユニット３２の境界領域にある搬送路４３の部分に残留している。詳細には、残留紙幣６０は、下部ユニット３２に位置するセンサ５０ａと上部ユニット３１に位置するセンサ５０ｂとの間の搬送路４３に残留し、紙幣つまりを発生させている。さらに、この残留紙幣６０は、センサ５０ｂと比べてセンサ５０ａに近い位置に残留しているため、センサ５０ａにのみ検知され、センサ５０ｂには検知されていない。
【００３２】
図５は、図４に示す紙幣つまりの場合の本実施形態に係る残留紙幣表示７０（７０ａ、７０ｂ）の一例を示す。保守用操作表示部２６には、模式的に紙幣入出金機１８を示す表示１１８が示されている。また、表示１１８の上半分にある表示１３１が上部ユニット３１を示し、表示１１８の下半分にある表示１３２が下部ユニット３２を示す。表示１３１の右上には、紙幣投入口２１及び紙幣受取口２２を示す表示１２１／１２２が位置し、表示１２１／１２２の左下には、鑑別部４５を示す表示１４５が位置し、表示１３１の左上には一時保留部４１を示す表示１４１が位置し、表示１４１の下にはリジェクト庫４４を示す表示１４４が位置する。さらに、表示１３２には収納庫４２を示す表示１４２が位置する。
【００３３】
本実施形態においては、図４に示す紙幣つまりの場合、保守用操作表示部２６には２か所の残留紙幣表示７０ａ、７０ｂが示される。まず、残留紙幣６０を検知したセンサ５０ａに対応するように、表示１１８内のセンサ５０ａの搬送路４３上の位置に対応する位置に、残留紙幣表示７０ａが示される。さらに、残留紙幣６０を検知したセンサ５０ａに隣接するセンサ５０ｂの搬送路４３上の位置に対応する表示１１８内の位置に、残留紙幣表示７０ｂが示される。すなわち、本実施形態においては、センサ５０ｂの残留紙幣６０の検知状況にかかわらず、センサ５０ｂに隣接するセンサ５０ａが残留紙幣６０を検知した場合には、センサ５０ａ及びセンサ５０ｂの両方に対応する位置に残留紙幣表示７０ａ、７０ｂが示される。この残留紙幣表示７０ａ、７０ｂは、例えば、正方形状の表示であることができる。なお、本実施形態においては、残留紙幣表示７０は上記の表示に限定されるものではなく、他の表示でもよい。例えば、保守用操作表示部２６に、文字にて、「上部ユニット内のセンサにより残留紙幣を検知」、及び、「下部ユニット内のセンサにより残留紙幣を検知」と表示してもよい。さらなる例としては、上部ユニット３１内のセンサ５０ｂに対応する数字と、下部ユニット３２内のセンサ５０ａに対応する数字とを、保守用操作表示部２６に表示させてもよい。
【００３４】
そして、図５に示すように、残留紙幣表示７０ａは、上部ユニット３１と下部ユニット３２との境界領域にある搬送路４３の下部ユニット側３２に対応する表示１３２内の位置に示され、残留紙幣表示７０ｂは、上部ユニット３１と下部ユニット３２との境界領域にある搬送路４３の上部ユニット側３１に対応する表示１３１内の位置に示される。すなわち、残留紙幣表示７０ａは、その表示される位置により、下部ユニット３２内での紙幣の残留を示し、残留紙幣表示７０ｂは、その表示される位置により、上部ユニット３２内での紙幣の残留を示す。従って、残留紙幣表示７０ａ、７０ｂを確認した保守員は、上部ユニット３１及び下部ユニット３２の両方に紙幣つまりが発生していると認識することができる。そこで、保守員は、後扉１３を開けていずれかのユニットを先に引出し、その引き出したユニット内で残留紙幣６０を発見することができなくても、他方のユニットを引き出す作業を迅速に行うこととなる。従って、残留紙幣６０の発見を容易にすることができる。
【００３５】
本実施形態においては、紙幣つまりを知らせるための表示は上記の表示方法に限定されるものではなく、他の表示方法でもよい。例えば、筐体１２の後扉１３に、模式的に紙幣入出金機１８を示す図をあらかじめ描画しておき、紙幣入出金機１８を示す図内において、紙幣入出金機１８内のセンサ５０の位置に対応する箇所に、点滅可能なランプをあらかじめ設けておく。そして、上部ユニット３１内のセンサ５０ｂが位置する箇所に残留紙幣６０が残留している旨と下部ユニット３２内のセンサ５０ａが位置する箇所に残留紙幣６０が残留している旨を知らせようとする場合には、紙幣入出金機１８を示す図内の５０ａ及び５０ｂに対応するランプを点滅させればよい。
【００３６】
（３．残留紙幣表示処理フロー）
図６に、第１の実施形態に係る紙幣処理装置１の残留紙幣表示処理のフローを示す。残留紙幣表示処理フローは、紙幣つまりの発生が確認された場合に開始され、紙幣つまりの発生が複数個所確認された場合には、１か箇所ずつ順に紙幣残留情報を取得して処理を行う。
【００３７】
ステップＳ１において、主制御部１７は紙幣処理装置１のセンサ５０から通知される紙幣残留情報を所得し、ステップＳ２へ移行する。なお、主制御部１７は、取得した紙幣残留情報を主制御部１７が有する記憶部（図示せず）に記憶し、その後の処理において記憶した情報を参照する。
【００３８】
次に、ステップＳ２において、主制御部１７は、ステップＳ１で取得した紙幣残留情報に基づいて残留紙幣６０があるか否かを判断する。残留紙幣６０がないと判断された場合にはステップＳ６へ移行し、残留紙幣６０があると判断した場合にはステップＳ３へ移行する。
【００３９】
ステップＳ３において、主制御部１７は、残留紙幣６０を検知したセンサ５０が、２か所表示するセンサ５０に該当するか否かを判断する。主制御部１７は、その記憶部にあらかじめ２か所表示するセンサ５０を記憶している。２か所表示するセンサ５０として記憶されるセンサ５０は、上部ユニット３１と下部ユニット３２の境界領域にあるセンサ５０であり、例えば、図３に示される紙幣処理装置１においては、センサ５０ａ、センサ５０ｂ、センサ５０ｃ、センサ５０ｅである。そして、主制御部１７は、記憶していた情報を参照して判断を行う。２か所表示すると判断した場合にはステップＳ４へ移行し、その他の場合にはステップＳ５へ移行する。
【００４０】
ステップＳ４において、主制御部１７は、上部ユニット３１と下部ユニット３２との境界領域にあって、残留紙幣６０を検知したセンサ５０に隣接し、且つ、残留紙幣６０を検知したセンサ５０と異なるユニットに位置するセンサ５０を選択する。主制御部１７は、その記憶部に、あらかじめ各センサ５０を各センサ５０と上記のような関係にある他のセンサ５０と紐づけて記憶しており、記憶していた情報を参照して選択する。例えば、主制御部１７は、センサ５０ａとセンサ５０ｂとを紐づけて記憶しており、センサ５０ｃとセンサ５０ｅとを紐づけて記憶している。次に、主制御部１７は、保守用操作表示部２６の残留紙幣６０を検知したセンサ５０及び選択したセンサ５０に対応する位置に残留紙幣表示７０を行い、ステップＳ６へ移行する。
【００４１】
ステップＳ５において、主制御部１７は、残留紙幣６０を検知したセンサ５０に対応する位置に残留紙幣表示７０を行い、ステップＳ６へ移行する。
【００４２】
ステップＳ６において、ステップＳ１において取得した紙幣残留情報のすべてに対して残留紙幣表示処理が終了していれば残留紙幣表示処理フローを終了し、ステップＳ１において取得した紙幣残留情報のすべてに対して残留紙幣表示処理が終了していない場合にはステップＳ１に戻る。以降すべての紙幣残留情報に対して残留紙幣表示処理が終了するまで、ステップＳ１からステップＳ６を繰り返す。
【００４３】
ところで、図４に示すような紙幣つまりが従来の紙幣処理装置で発生した場合、すなわち、従来の紙幣処理装置において、残留紙幣６０が下部ユニットと上部ユニットとにまたがって残留し、且つ、残留した紙幣が下部ユニットに設けられたセンサのみに検知される場合には、保守用画面には、下部ユニットにのみ紙幣つまりが発生した旨が表示される。そこで、保守員は、その画面表示を参照し、下部ユニット内にのみ残留紙幣６０が残留していると認識して、残留紙幣６０を除去するため下部ユニットを引出すこととなる。しかしながら、このように紙幣つまりが生じた場合には、下部ユニットを引出すことにより残留紙幣６０が下部ユニットからはずれても、残留紙幣６０が上部ユニットに残留したままになっていることがある。こうした状態になると、保守員は、下部ユニット内に残留紙幣６０を発見することができず、保守員が上部ユニット内の残留紙幣６０に気がつくまで多くの時間を要することとなり、紙幣つまりの解消のための作業時間が長くなってしまうという問題があった。
【００４４】
それに対して、本実施形態によれば、上部ユニット３１と下部ユニット３２の境界領域に紙幣つまりが発生し、下部ユニット３２にあるセンサ５０ａが残留紙幣６０を検知した場合には、上部ユニット３１にあるセンサ５０ｂの残留紙幣６０の検知状況にかかわらず、センサ５０ａ及びセンサ５０ｂの両方に対応する位置に残留紙幣表示７０ａ、７０ｂを行う。従って、上部ユニット３１及び下部ユニット３２の両方に対応する箇所に残留紙幣表示７０ａ、７０ｂが表示されるため、保守員は、上部ユニット３１及び下部ユニット３２の両方に紙幣つまりが発生していると判断することができる。従って、保守員が下部ユニット３２を引出したときに、下部ユニット３２から残留紙幣６０がはずれ、上部ユニット３１にだけ残留紙幣６０が残ってしまうことがあっても、保守員が、下部ユニット３２に続いて上部ユニット３１を引出すという対応を迅速に行うことができる。そのため、残留紙幣６０の発見を容易に行うことが可能となり、保守作業の軽減、及び保守作業時間の短縮が可能になる。なお、ここでは下部ユニット３２にあるセンサ５０ａが残留紙幣６０を検知した場合を説明したが、上部ユニット３１にあるセンサ５０ｂが残留紙幣６０を検知した場合であっても本実施形態を適用することができる。
【００４５】
＜２． 第２の実施形態＞
第２の実施形態は、第１の実施形態において、２か所の残留紙幣表示７０ａ、７０ｂが示された後、保守員が、上部ユニット３１及び下部ユニット３２の一方のユニットを引出し、一方のユニットから残留紙幣６０がはずれた場合には、一方のユニットに関する残留紙幣表示７０を停止し、さらに残留解消表示７１を表示させて、一方のユニットを引出したことにより残留紙幣６０がはずれてしまったことを保守員に知らしめる。このような表示を行うことにより、保守員は残留紙幣６０の現状を理解し、次の手順に進むことができる。従って、残留紙幣６０の発見がさらに容易になる。
【００４６】
詳細には、第１の実施形態において２か所の残留紙幣表示７０ａ、７０ｂが行われた後、残留紙幣表示７０ａ、７０ｂを確認した保守員は、例えば、残留紙幣６０の除去作業のため下部ユニット３２を引出す。この下部ユニット３２の引出しは、各ユニット３１、３２の引出しを検知するセンサ（図示せず）により検知される。そして、下部ユニット３２が引出された際には、残留紙幣６０は、上部ユニット３１に押さえつけられ、下部ユニット３２からはずれてしまうことがある。第２の実施形態においては、下部ユニット３２が紙幣入出金機１８から引出されたタイミングで、２か所の残留紙幣表示７０ａ、７０ｂに対応するセンサ５０ａ、５０ｂの残留紙幣６０の検知状態を確認する。下部ユニット３２に位置するセンサ５０ａが残留紙幣６０を検知しなくなっていた場合には、センサ５０ａに対応する位置にある残留紙幣表示７０ａを停止させ、次いで、残留解消表示７１を表示する。図７は、センサ５０ａに対応する位置に残留解消表示７１を行った場合の保守用操作表示部２６を示す。残留解消表示７１は、例えば、正方形状の表示を一定周期で表示／非表示を行うような点滅表示である。なお、本実施形態では、残留解消表示７１は、上記のような表示に限定されるものではなく、最初に示される残留紙幣表示７０ａと異なることが目視により区別認識できればよい。
【００４７】
図８に、第２の実施形態に係る紙幣処理装置１の残留紙幣表示処理フローを示す。各ユニット３１、３２の引出しを検知するセンサ（図示せず）が、上部ユニット３１及び下部ユニット３２の少なくとも１つの引出しを検知すると、残留紙幣表示処理のフローが開始し、ステップＳ１１において、主制御部１７は、紙幣処理装置１に設けられた各センサ５０から通知される紙幣残留情報を取得し、ステップＳ１２へ移行する。なお、主制御部１７は、取得した紙幣残留情報を主制御部１７が有する記憶部（図示せず）に記憶し、その後の処理において記憶した情報を参照する。
【００４８】
ステップＳ１２において、主制御部１７は、ステップＳ１１で取得した紙幣残留情報に基づいて、残留紙幣６０を検知したセンサ５０が２か所表示するセンサに該当するか否かを判断する。第１の実施形態と同様に、主制御部１７は、あらかじめ記憶していた情報を参照し判断を行う。２か所表示すると判断した場合にはステップＳ１３へ移行し、その他の場合にはステップＳ１５へ移行する。
【００４９】
ステップＳ１３において、主制御部１７は、残留紙幣６０を検知したセンサ５０が下部ユニット３２に位置するか否かを判断する。下部ユニット３２に位置すると判断した場合にはステップＳ１４に移行し、その他の場合にはステップＳ１７に移行する。
【００５０】
ステップＳ１４において、主制御部１７は、残留紙幣６０を検知したセンサ５０に対応するセンサ５０を選択する。第１の実施形態と同様に、主制御部１７はあらかじめ記憶していた情報を参照して選択する。なお、このステップＳ１４にて選択されたセンサ５０は上部ユニット３１に位置している。さらに、主制御部１７は、ステップＳ１１で取得した紙幣残留情報に基づいて、選択されたセンサ５０が残留紙幣６０を検知しているか否かを判断する。選択されたセンサ５０が残留紙幣６０を検知している場合にはステップＳ１６へ移行し、検知していない場合にはステップＳ２１へ移行する。
【００５１】
ステップＳ１５において、主制御部１７は、残留紙幣６０を検知したセンサ５０に対応する位置に残留紙幣表示７０を行い、ステップＳ２４へ移行する。
【００５２】
ステップＳ１６において、第１の実施形態と同様に、主制御部１７は、残留紙幣６０を検知したセンサ５０と選択したセンサ５０とに対応する２つの位置に残留紙幣表示７０を行い、ステップＳ２４へ移行する。
【００５３】
ステップＳ１７において、ステップＳ１４と同様に、主制御部１７は、あらかじめ記憶していた情報を参照して、残留紙幣６０を検知したセンサ５０に紐づけられた他のセンサ５０を選択する。なお、このステップＳ１７にて選択されたセンサ５０は下部ユニット３２に位置している。さらに、主制御部１７は、ステップＳ１１で取得した紙幣残留情報に基づき、選択されたセンサ５０が残留紙幣６０を検知しているか否かを判断する。選択されたセンサ５０が残留紙幣６０を検知している場合にはステップＳ１６へ移行する。ステップＳ１６へ移行した後については先に説明した通りである。一方、検知していない場合にはステップＳ１８へ移行する。
【００５４】
ステップＳ１８において、主制御部１７は以下の処理を行う。主制御部１７が、各ユニットの引出しを検知するセンサ（図示せず）がステップＳ１１において下部ユニット３２の引出しを検知し、且つ、ステップＳ１１で下部ユニット３２の引出しを検知する前に、ステップＳ１７で選択されたセンサ５０が残留紙幣６０を検知していたと判断する場合には、ステップＳ１９へ移行する。一方、その他の場合にはステップＳ１６へ移行する。ステップＳ１６へ移行した後については先に説明した通りである。なお、主制御部１７は、ステップＳ１１で残留情報を取得する前の紙幣処理装置１の状態に関する情報を主制御部１７が有する記憶部（図示せず）に記憶しており、それを参照することにより、主制御部１７は上記の処理を行うことができる。
【００５５】
ステップＳ１９において、主制御部１７は、ステップＳ１７で選択されたセンサ５０（下部ユニット３２に位置するセンサ５０）に対応する位置にすでに残留紙幣表示７０が表示されていれば、残留紙幣表示７０の表示を停止させる。さらに、主制御部１７は、ステップＳ１７で選択されたセンサ５０に対応する位置に残留解消表示７１を行い、ステップＳ２０へ移行する。
【００５６】
ステップＳ２０において、主制御部１７は、残留紙幣６０を検知したセンサ５０（上部ユニット３１に位置するセンサ５０）に対応する位置に残留紙幣表示７０を行い、ステップＳ２４へ移行する。
【００５７】
ステップＳ２１において、ステップＳ１８と同様に、主制御部１７は以下の処理を行う。主制御部１７が、各ユニットの引出しを検知するセンサ（図示せず）がステップＳ１１において上部ユニット３１の引出しを検知し、且つ、ステップＳ１１において上部ユニット３１の引出しを検知する前に、ステップＳ１４で選択されたセンサ５０が残留紙幣６０を検知していたと、判断する場合には、ステップＳ２２へ移行する。一方、その他の場合にはステップＳ１６へ移行する。ステップＳ１６へ移行した後については先に説明した通りである。
【００５８】
ステップＳ２２において、主制御部１７は、ステップＳ１４で選択されたセンサ５０（上部ユニット３１に位置するセンサ５０）に対応する位置にすでに残留紙幣表示７０が表示されていれば、残留紙幣表示７０の表示を停止させる。さらに、主制御部１７は、ステップＳ１４で選択されたセンサ５０に対応する位置に残留解消表示７１を行い、ステップＳ２３へ移行する。
【００５９】
ステップＳ２３において、主制御部１７は、残留紙幣６０を検知したセンサ５０（下部ユニット３２に位置するセンサ５０）に対応する位置に残留紙幣表示７０を行い、ステップＳ２４へ移行する。
【００６０】
ステップＳ２４において、ステップＳ１１において取得した紙幣残留情報のすべてに対して残留紙幣表示処理が終了していれば残留紙幣表示処理のフローを終了し、ステップＳ１１において取得した紙幣残留情報のすべてに対して残留紙幣表示処理が終了していない場合にはステップＳ１１に戻る。以降すべての紙幣残留情報に対して残留紙幣表示処理が終了するまで、ステップＳ１１からステップＳ２４を繰り返す。
【００６１】
第２の実施形態によれば、２か所の残留紙幣表示７０ａ、７０ｂが行われた後、保守員が、上部ユニット３１及び下部ユニット３２の一方のユニットを引出した際、一方のユニットから残留紙幣６０がはずれた場合には、一方のユニットの残留紙幣表示７０を停止させ、残留解消表示７１を表示することにより、一方のユニットを引出したことにより残留紙幣６０がはずれてしまった旨を保守員に知らせる。このような表示を行うことにより、保守員は残留紙幣６０の現状を迅速に理解し、次の手順に進むことができる。従って、残留紙幣６０の発見がより容易になり、保守作業の軽減、及び保守作業時間の短縮が可能になる。
【００６２】
＜３． 第３の実施形態＞
紙幣処理装置１において下部ユニット３２の収納庫４２に紙幣を補充する方法の１つとして、紙幣が充填された紙幣カセットを収納庫４２にセットする方法がある。この方法においては、あらかじめ紙幣カセット内に収納された紙幣を計数していないため、収納庫４２に紙幣カセットをセットした場合であっても、当該収納庫４２に収納された紙幣の枚数を把握することができない。そこで、複数のセンサを各収納庫４２に設け、収納庫４２の上方に設けられたセンサが紙幣を検知した場合には、収納庫４２に収納された紙幣の容量は多いと判断し、収納庫４２の下方に設けられたセンサのみが紙幣を検知した場合には、収納された紙幣の容量は少ないと判断する。そして、各センサの位置と各センサの紙幣の検知状況に基づいて、各収納庫４２の収納した紙幣の容量を、紙幣のおおよその容量を示すエンド、ニアエンド、プレニアエンド、ニアフル、フルといった状態情報で認識し、この状態情報の結果を保守用操作表示部２６に表示する。なお、エンド、ニアエンドの順に紙幣の容量は増加し、紙幣の容量が一番多いフルにおいては、収納庫４２は紙幣で満たされている状態であることを意味する。図９に、保守用操作表示部２６における各収納庫４２の紙幣の容量表示の一例を示す。収納庫４２に対応する表示１４２に示されるグレーの帯の部分は、エンド、ニアエンド、プレニアエンド、ニアフル、フルといった状態情報と対応しており、帯の部分の高さが高いほど紙幣の容量が多いことを意味する。
【００６３】
ところで、収納庫４２を有する下部ユニット３２を紙幣入出金機１８から引出した場合には、保守員による紙幣の補充作業が行われる可能性があると予想され、補充作業により紙幣の容量が変化するため、収納庫４２内に収納された紙幣の容量は不定となる。このような場合、従来の紙幣処理装置１においては、主制御部１７は保守用操作表示部２６に対して初期表示を行うよう制御するため、保守用操作表示部２６には実際に収納庫４２に収納された紙幣の容量とは異なる容量が示される。従って、保守用操作表示部２６に表示された容量と実際に収納庫４２に収納された容量とは全く一致せず、保守員の混乱を招くことがあった。
【００６４】
そこで、第３の実施形態においては、保守員の混乱を防ぐことができるような表示を行う。図１０に、第３の実施形態に係る紙幣処理装置１の保守用操作表示部２６の紙幣の容量表示の一例を示す。保守員が下部ユニット３２を紙幣入出金機１８から引出した場合、下部ユニット３２の引出しを検知するためのセンサ（図示せず）は、主制御部１７に対して下部ユニット３２が引出された旨を通知する。この通知を受け取った主制御部１７は、保守用操作表示部２６に下部ユニット３２が引出し中である旨を表示する。例えば、図１０に示すように、保守用操作表示部２６に下部ユニット３２引出し中という文字情報を点滅表示させる。なお、表示方法は、図１０に示される方法に限定されず、保守員により下部ユニット３２が引出し中である旨を認識することができるものであれば他の表示方法でもよい。その後、保守員により下部ユニット３２が紙幣入出金機１８に再セットされた場合には、主制御部１７は、下部ユニット３２が引出された旨を示す表示を停止する。併せて、下部ユニット３２が引出されたことにより各収納庫４２内に収納された紙幣の容量は不定となるため、主制御部１７は、下部ユニット３２が引き出されてから再セットされるまでは、全収納庫４２の紙幣の容量の表示を維持し、下部ユニット３２が再セットされた場合には、全収納庫４２の紙幣の容量表示（グレーの帯による表示）を停止し、全収納庫４２の枠線を点滅表示、もしくは、全収納庫４２の枠線の色を一定周期で変化させるような表示を行う。すなわち、本実施形態によれば、下部ユニット３２が引出された際に全収納庫４２の紙幣の容量表示を停止する。従って、保守用操作表示部２６に表示された紙幣の容量と実際に収納庫４２に収納された容量とが一致しないといった問題を生じさせることがなく、不一致による保守員の混乱を防ぐことができる。
【００６５】
その後、保守員のリセット入力により、もしくは、自動的に、紙幣処理装置１がリセット動作を行った場合には、主制御部１７は、各収納庫４２に設けられているセンサ（図示せず）が通知する紙幣の容量についての状態情報に基づき、各収納庫４２に収納された紙幣の容量を保守用操作表示部２６に表示する（図９を参照）。
【００６６】
図１１に、第３の実施形態に係る容量表示処理のフローを示す。容量表示処理フローは、ステップＳ３１において、各ユニットの引出しを検知するセンサ（図示せず）が上部ユニット３１及び下部ユニット３２の少なくともいずれかが保守員により紙幣入出金機１８から引出された、もしくは、上部ユニット３１及び下部ユニット３２の少なくともいずれかが保守員により紙幣入出金機１８にセットされたといった紙幣処理装置１の状態変化を検知した場合に開始され、ステップＳ３２へ移行する。なお、主制御部１７は、検知した状態変化を主制御部１７が有する記憶部（図示せず）に記憶し、その後の処理において記憶した情報を参照する。
【００６７】
ステップＳ３２において、主制御部１７は、下部ユニット３２に設けられた下部ユニット３２の引出しを検知するセンサ（図示せず）の検知状態を確認して、下部ユニット３２が引出されたか否かを判断する。下部ユニット３２が引出されたと判断した場合にはステップＳ３３へ移行し、その他の場合にはステップＳ３４へ移行する。
【００６８】
ステップＳ３３において、主制御部１７は、保守用操作表示部２６に下部ユニット３２が引出し中であることを点滅表示する。併せて、主制御部１７は、全収納庫４２の紙幣の
容量の表示については、下部ユニット３２の引き出し前において記憶されていた各収納庫４２の紙幣の容量の状態情報に基づく表示を継続し、ステップＳ３１へ移行する。なお、各収納庫４２に設けられたセンサ（図示せず）から紙幣の容量の状態情報が通知されるごとに、紙幣の容量の状態情報は、主制御部１７が有する記憶部（図示せず）に記憶される。
【００６９】
ステップＳ３４において、主制御部１７は、以前に取得し、記憶していた下部ユニット３２の状態と比較して、下部ユニット３２が紙幣入出金機１８から引き出された状態から紙幣入出金機１８にセットされた状態へ変化したと判断した場合、ステップＳ３５へ移行し、その他の場合にはステップＳ３７へ移行する。なお、下部ユニット３２に設けられたセンサ（図示せず）から下部ユニット３２の状態情報が通知されるごとに、下部ユニット３２の状態情報は主制御部１７が有する記憶部（図示せず）に記憶される。
【００７０】
ステップＳ３５において、下部ユニット３２が引出し中である旨を示す表示は停止され、全収納庫４２の枠線を点滅表示、もしくは、全収納庫４２の枠線の色を一定周期で変化させるような表示が行われる。そして、紙幣処理装置１のリセット動作を検知した場合、ステップＳ３６へ移行する。
【００７１】
ステップＳ３６において、主制御部１７がリセット動作を検知し、リセット動作により各収納庫４２に設けられたセンサ（図示せず）が収納された紙幣の容量を計測した場合には、各収納庫４２に収納された紙幣の容量の状態情報が主制御部１７に通知され、ステップＳ３７へ移行する。
【００７２】
ステップＳ３７において、主制御部１７は、リセット動作により通知された各収納庫４２の紙幣の容量の状態情報に基づき、保守用操作表示部２６に紙幣の容量表示を行い、ステップＳ３１へ移行する。
【００７３】
この後は、各ユニットの引出しを検知するセンサ（図示せず）が状態変化を検知する、もしくは、主制御部１７がリセット動作を検知したことをきっかけにして、ステップＳ３１からステップＳ３７までを繰り返す。
【００７４】
第３の実施形態においては、保守員が下部ユニット３２を紙幣入出金機１８から引出した際には、主制御部１７は、下部ユニット３２が引出し中である旨を表示する。さらに、下部ユニット３２を引出した際、保守員による紙幣の補充作業が行われる可能性があると予想されるため、補充作業により紙幣の容量が変化し、全収納庫４２内に収納された紙幣の容量は不定となる。そこで、本実施形態においては、主制御部１７は、下部ユニット３２が紙幣入出金機１８から引き出された状態では、主制御部１７は、記憶された各収納庫４２の紙幣の容量の状態情報に基づき容量表示を行う。そして、下部ユニット３２が紙幣入出金機１８に再セットされ、リセット動作により再度全収納庫４２の紙幣の容量の状態情報を取得するまでの間、全収納庫４２の紙幣の容量表示を停止する。従って、本実施形態によれば、全収納庫４２の紙幣の容量表示を停止することにより、保守用操作表示部２６に表示された紙幣の容量と実際に収納庫４２に収納された容量とが一致しないといった問題を生じさせることなくなり、不一致による保守員の混乱を防ぎ、その後の保守作業を効率よく行うことができる。
【００７５】
＜４． 第４の実施形態＞
第４の実施形態は、第３の実施形態の変形例であり、より現実に即した紙幣の容量表示を行うことにより保守員の混乱をより防ぐことができる。詳細には、第３の実施形態においては、下部ユニット３２が紙幣入出金機１８から引出され、再度、下部ユニット３２が紙幣入出金機１８にセットされ、リセット動作が完了するまでは、全収納庫４２内に収納された紙幣の容量は不定となるとし、全収納庫４２の紙幣の容量の表示を停止していた。しかしながら、下部ユニット３２が引出されただけでは、保守員によって全収納庫４２に対して紙幣の補充作業が行われるとは限らない。そこで、第４の実施形態においては、下部ユニット３２が引出された際には、主制御部１７は、以前に取得、記憶していた各収納庫４２の紙幣の容量についての状態情報に基づき、各収納庫４２内の紙幣の容量表示を行う。その後、下部ユニット３２から収納庫４２が引出された状態になって、引出された収納庫４２については、保守員による紙幣の補充作業が行われることが予想され、この収納庫４２内に収納された紙幣の容量は不定となるとして、この収納庫４２の紙幣の容量表示を停止する。なお、引出されていない収納庫４２については、保守員による紙幣の補充作業が行われていないことが予想されるため、紙幣の容量が変化していないとして、紙幣の容量表示を維持する。このように、第４の実施形態では、より実際の状態に即して表示を行うことにより、保守員の混乱をより防ぐことができる。
【００７６】
図１２から図１４に、第４の実施形態に係る保守用操作表示部２６における各収納庫４２の紙幣の容量表示を示す。本実施形態においては、下部ユニット３２を引出しただけの状態では、図１２に示されるように、下部ユニット３２が引出し中である旨を点滅表示し、下部ユニット３２を引出される前に、主制御部１７が取得、記憶した各収納庫４２の紙幣の容量についての状態情報に基づいて、保守用操作表示部２６に各収納庫４２の容量表示を行う。
【００７７】
その後、保守員が下部ユニット３２から収納庫４２を引出した際には、図示しないセンサから収納庫４２の引出しを検知した旨の通知を受け取った主制御部１７は、図１３に示されるように、保守用操作表示部２６に下部ユニット３２が引出し中である旨を点滅表示させたまま、引出された収納庫４２に対応する表示１４２の枠線表示（図１３中、左端の収納庫の表示１４２）を停止する。このような表示を確認することにより、保守員はこの収納庫４２が引出されていることを直感的に認識することができる。なお、表示の方法は図１３に示される方法に限定されるものではなく、収納庫４２が引き出されていることを視認することができるものであれば他の方法でもよい。また、この際、引き出された収納庫４２については、保守員による紙幣の補充作業が行われることが予想されるため、引出された収納庫４２内に収納された紙幣の容量は不定となり、従って、主制御部１７は、保守用操作表示部２６の当該収納庫４２の紙幣の容量表示を停止する。
【００７８】
この後、引出された収納庫４２が下部ユニット３２にセットされた場合には、図１４に示すように、保守用操作表示部２６に下部ユニット３２が引き出し中である旨を点滅表示させたまま、引出された収納庫４２に対応する表示１４２（図１４中、左端の収納庫の表示１４２）を再表示する。この再表示の方法としては、例えば、該当する収納庫４２の枠線の色を一定周期で変化させたり、枠線を点滅させたりすることができる。なお、表示の方法は図１４に示される方法に限定されるものではなく、収納庫４２が再度セットされていることを視認することができるものであれば他の方法でもよい。併せて、収納庫４２が引出されたことから、先に説明したように該当する収納庫４２内の紙幣の容量が不定となるため、該当する収納庫４２の紙幣の容量表示を停止したままとする。
【００７９】
図１５に、第４の実施形態に係る容量表示処理のフローを示す。容量表示処理フローは、ステップＳ４１において、各ユニットの引出しを検知するセンサ（図示せず）が、上部ユニット３１及び下部ユニット３２の少なくともいずれかが引出されたといった紙幣処理装置１の状態変化を検知した場合に開始され、ステップＳ４２へ移行する。
【００８０】
ステップＳ４２において、第３の実施形態と同様に、主制御部１７は、下部ユニット３２が引出されたか否かを判断する。下部ユニット３２が引出されたと判断した場合にはステップＳ４３へ移行し、その他の場合にはステップＳ４６へ移行する。
【００８１】
ステップＳ４３において、主制御部１７は、保守用操作表示部２６に下部ユニット３２が引出し中である旨を点滅表示し、ステップＳ４４へ移行する。
【００８２】
ステップＳ４４において、主制御部１７は、収納庫４２が引出されているか否かを、各収納庫４２に設けられた収納庫４２の引出しを検知するセンサ（図示せず）の検知状態を確認することにより判断する。収納庫４２が引出されたと判断された場合にはステップＳ４５へ移行し、収納庫４２が引出されていないと判断された場合には、ステップＳ４７へ移行する。
【００８３】
ステップＳ４５において、主制御部１７は、例えば、引出された収納庫４２に対応する表示１４２の枠線の表示を停止させ、当該収納庫４２が引き出された旨を保守用操作表示部２６に示す。次に、ステップＳ４７へ移行する。
【００８４】
ステップＳ４６において、主制御部１７は、各ユニットの引出しを検知するセンサ（図示せず）がＳ４１において状態変化を検知する前に、各ユニットの引出しを検知するセンサ（図示せず）が下部ユニット３２が引出されていたことを検知していたかを判断する。Ｓ４１において状態変化を検知する前に下部ユニット３２が引出されていたことを検知していた場合には、ステップＳ４７へ移行する。その他の場合には、ステップＳ５０へ移行する。なお、主制御部１７は、Ｓ４１で状態変化を検知する前の紙幣処理装置１の状態に関する情報を主制御部１７が有する記憶部（図示せず）に記憶しており、記憶した情報を参照することにより、主制御部１７は上記の判断を行うことができる。
【００８５】
ステップＳ４７において、主制御部１７は、各ユニットの引出しを検知するセンサ（図示せず）がＳ４１において状態変化を検知する前に、収納庫４２の引出しを検知するセンサ（図示せず）が収納庫４２が引出されていたことを検知していたかを判断する。Ｓ４１において状態変化を検知する前に収納庫４２が引出されていることを検知していた場合には、Ｓ４８へ移行する。その他の場合にはステップＳ４９へ移行する。
【００８６】
ステップＳ４８において、主制御部１７は、Ｓ４１において状態変化を検知する前に引出されたことを検知された収納庫４２に対応する表示１４２の枠を点滅表示させ、ステップＳ４９へ移行する。
【００８７】
ステップＳ４９において、引出された収納庫４２とＳ４１において状態変化を検知する前に引出されたことを検知された収納庫４２を除くその他の収納庫４２については、以前に主制御部１７が取得、記憶していた各収納庫４２の紙幣の容量についての状態情報に基づき紙幣の容量表示を行う。その後、ステップＳ４１へ移行する。
【００８８】
ステップＳ５０において、主制御部１７は、以前に取得していた各収納庫４２の紙幣の容量についての状態情報に基づき紙幣の容量表示を行い、ステップＳ４１へ移行する。
【００８９】
この後は、各センサが状態変化を検知したことをきっかけにして、ステップＳ４１からステップＳ５０までを繰り返す。
【００９０】
本実施形態によれば、下部ユニット３２が引き出された際には、下部ユニット３２が引出された旨を表示し、併せて、以前に取得していた各収納庫４２の紙幣の容量についての状態情報に基づき、各収納庫４２内の紙幣の容量表示を行う。その後、下部ユニット３２から収納庫４２が引き出された状態になって、保守員により収納庫４２の紙幣の補充作業が行われることが予想され、引出された収納庫４２内に収納された紙幣の容量は不定となるため、引出された収納庫４２の紙幣の容量の表示のみを停止し、引出されていない収納庫４２については、保守員による収納庫４２の紙幣の補充作業が行われていないことが予想されるため、紙幣の容量が変化していないとして紙幣の容量表示を維持する。このように、本実施形態では、より実際の紙幣の容量の状態に即した表示を行うことにより、保守員の混乱をより防ぐことができ、その後の保守作業を効率よく行うことができる。
【００９１】
＜５． 第５の実施形態＞
図１６に、紙幣処理装置１の紙幣入出金機１８のカバー８０を開けた時の斜視図を示す。紙幣入出金機１８にはカバー８０が設けられており、カバー８０は、保守員が紙幣入出金機１８の内部の点検等を行う際に図のように開けることができる。カバー８０は、完全に閉まっていることを目視で確認することが難しいため、点検完了後、保守員は誤ってカバー８０を開けたまま、紙幣入出金機１８を紙幣処理装置１にセットしてしまい、その後の処理において障害が発生することがある。このような場合、保守員は、紙幣処理装置１から紙幣入出金機１８を引出し、カバー８０を閉め直すこととなり、作業にかかる時間が長くなってしまうという問題点があった。
【００９２】
そこで、第５の実施形態によれば、カバー８０に、カバー８０の開閉状態を検知するセンサ８５を設け、カバー８０が開いていることをセンサ８５が検知した場合には、主制御部１７は、保守用操作表示部２６にカバー８０が開いている旨の表示１４６を行い、保守員にカバー８０が開いている旨を知らしめることができる。
【００９３】
以下に説明する実施形態においては、カバー８０は、搬送路４３の一部を点検等する際に開けるカバーであり、搬送路４３の一部の上方に設けられている。なお、本実施形態のカバー８０は、上記のようなカバーに限定されるものではなく、紙幣入出金機１８の他のブロックを点検等するために設けられたカバーであってもよい。
【００９４】
図１７は、第５の実施形態に係るカバー８０の要部を示す斜視図である。なお、図１７においては、わかりやすくするために、カバー８０の要部のみを示し、さらに各部位についても簡略化して示してある。
【００９５】
カバー８０は、その端部の１つにおいて紙幣入出金機１８と接続されており、カバー８０は、接続された端部を中心軸として回転することができる。さらに、カバー８０には、紙幣入出金機１８と接続された端部とは反対側に位置する端部に沿うように、棒８２が設けられている。棒８２は、細長い円柱状の形状をしており、その中心軸を回転軸として回転することができる。取手８３は、棒８２の長軸方向の中央部に接続され、棒８２の中心軸を回転軸として、棒８２と共に回転することができる。突起８１は、棒８２の両端部に設けられ、棒８２の中心軸を回転軸として、棒８２と共に回転することができる。なお、突起８１は、棒８２の両端部に設けてもよいし、棒８２の一方の端部のみに設けてもよい。また、図１７においては、突起８１は、簡略化されて、側面に切欠き９１を有する角柱として示されているが、突起８１はこのような形状に限定されるものではなく、他の形状であってもよい。
【００９６】
さらに、カバー８０が閉められた際に、突起８１と当接する紙幣入出金機１８の部分には、凹部８４が設けられている。凹部８４は、突起８１が一部又は全体が挿入され、且つ、その中で突起８１が回転することができるような空間を持つ。さらに、凹部８４の中には、突起８１が挿入された際に、突起８１と係合するロック機構（図示せず）が設けられている。例えば、ロック機構（図示せず）は以下のように動作するように構成することができる。凹部８４の中で突起８１が回転し、角柱状の突起８１の長手方向が凹部８４の底面と垂直になるように、言い換えると、突起８１の切欠き９１が設けられた側面とは反対側にある側面が凹部の側面に接触し、突起８１の底面が凹部８４の底面に接するように、突起８１が凹部８４に挿入される（図１８を参照）。次に、カバー８０を上から軽く押しつけて突起８１の底面で凹部８４の底面をさらに押した場合には、突起８１の底面からかかる力によってロック機構（図示せず）が作動し、ロック機構（図示せず）は突起８１の切欠き９１の部分と係合して、突起８１を固定する。ロック機構（図示せず）は、突起８１を固定することにより、カバー８０を閉状態にロックすることができる。また、カバー８０がロックされた状態において、再度、カバー８０を上から軽く押しつけて、突起８１の底面で凹部８４の底面をさらに押した場合には、突起８１の底面からかかる力によってロック機構（図示せず）が作動し、ロック機構（図示せず）は突起８１との係合を解消し、ロックが解除される。なお、図１７においては、凹部８４は、簡略化され、突起８１が挿入することができる直方体の空間と、突起８１が回転するために必要な空間とからなるものとして示されているが、凹部８４はこのような形状に限定されるものではなく、他の形状であってもよい。また、ロック機構（図示せず）についても、上記の説明のような構成に限定されるものではなく、突起８１と係合し、突起８１を固定するような構成になっていれば他の構成でもよい。
【００９７】
また、凹部８４に隣接して、凹部８４内の突起８１の移動を検知するセンサ８５が設けられている。センサ８５は例えば光学式センサである。
【００９８】
次に、図１８を用いてカバー８０の動作について説明する。図１８は、カバー８０が閉まっている状態を示す。
【００９９】
カバー８０が閉まっている状態においては、角柱状の突起８１は、突起８１の長手方向が凹部８４の底面と垂直になるように、凹部８４の中に挿入されている。詳細には、突起８１の切欠き９１が設けられた側面とは反対側にある側面が凹部８４内側の側面に接触し、突起８１の底面が凹部８４の底面に接している。この状態からカバー８０を開ける場合には、先に説明したロック機構（図示せず）のロックを解除する。さらに、取手８３を図中の図中矢印Ａの方向に引く。取手８３を引くことにより、取手８３の動きに応じて、棒８２はその中心軸を回転軸として図中の矢印Ｂの方向に回転する。棒８２が回転することにより、棒８２の端部に設けられた突起８１が、棒８２の中心軸を回転軸として図中矢印Ｃの方向に回転する。この際、凹部８４の近傍に設けられたセンサ８５は、凹部８４内の突起８１の回転移動を検知し、カバー８０が開いていると主制御部１７に通知する。通知を受けた主制御部１７は、カバー８０が開いていると判断し、保守用操作表示部２６にカバー８０が開いている旨の表示を行う。この表示については後で説明する。さらに、取手８３によりカバー８０を持ち上げ、カバー８０を、カバー８０の紙幣入出金機１８と接続された端部を中心軸として図中矢印Ｄの方向に回転させ、カバー８０を開く。そして、カバー８０が開くことにより、カバー８０の下方にある搬送路４３の一部が露出される。なお、カバー８０を再度閉める場合には、上記と逆の動作を行えばよい。この際、凹部８４の近傍に設けられたセンサ８５は、突起８１が、図１８で示されるように、突起８１の長手方向が凹部８４の底面と垂直になるように、凹部８４の中に挿入されたことを検知し、カバー８０が閉まっていることを主制御部１７に通知する。通知を受けた主制御部１７は、カバー８０が閉まっていると判断し、保守用操作表示部２６のカバー８０が開いている旨の表示を停止する。
【０１００】
図１９に、カバー８０が開いている旨を示す表示の一例を示す。カバー８０が開いていることをセンサ８５が検知した場合には、カバー８０の下方にある搬送路４３の一部に対応する保守用操作表示部２６の箇所を囲むような長方形状の枠で示される表示１４６を行う。また、カバー８０が閉まったことをセンサ８５が検知した場合には、表示１４６の表示を停止する。なお、本実施形態の表示の方法は、図１９に示される表示に限定されるものではなく、保守員が、保守用操作表示部２６を介して、カバー８０が開いていること、閉まっていることを目視により確認できる表示であればよい。
【０１０１】
図２０に、第５の実施形態に係るカバー８０の状態表示処理のフローを示す。カバー８０の状態表示処理フローは、ステップＳ６０において、主制御部１７がセンサ８５から突起８１の移動を検知した通知を受けた場合に開始され、センサ８５は、凹部８４内の突起８１の移動を検知した旨を主制御部１７に通知する。このセンサ８５からされる通知は、突起８１が図１８で示されるように凹部８４に挿入され、カバー８０が閉まっていることを示す通知、もしくは、突起８１が図１８で示されるように凹部８４に挿入された状態から、突起８１が凹部８４内で移動し、カバー８０が開いていることを示す通知のいずれかとなる。そして、ステップＳ６１へ移行する。
【０１０２】
ステップＳ６１において、主制御部１７は、センサ８５からの通知に基づき、カバー８０が開いているか否かを判断する。主制御部１７が、カバー８０が開いていると判断した場合には、ステップＳ６２へ移行し、その他の場合にはステップＳ６３へ移行する。
【０１０３】
ステップＳ６２において、主制御部１７は、保守用操作表示部２６にカバー８０が開いている旨を表示し、ステップＳ６０へ移行する。
【０１０４】
ステップＳ６３において、主制御部１７は、保守用操作表示部２６にカバー８０が開いている旨が表示されていた場合には、この表示を停止し、ステップＳ６０へ移行する。
【０１０５】
この後は、センサ８５が凹部８４内の突起８１の移動を検知した旨を主制御部１７に通知したことをきっかけにして、ステップＳ６０からステップＳ６３までを繰り返す。
【０１０６】
本実施形態によれば、完全に閉まっていることを目視にて確認することが難しいカバー８０に、カバー８０の開閉状態を検知するセンサ８５を設ける。このセンサ８５が、カバー８０が開いていることを検知した場合には、主制御部１７にその旨を通知し、その通知を受けた主制御部１７は、保守用操作表示部２６にカバー８０が開いている旨の表示を行う。このように、保守用操作表示部２６の表示を介して保守員にカバー８０が開いている旨を知らしめることが可能になるため、保守員のカバー８０の閉め忘れを減らし、効率よく保守作業等を行うことができる。
【０１０７】
なお、これまで説明した第１から第５の実施形態では、紙幣に対する処理を行う紙幣処理装置１を例として説明したが、本実施形態は紙幣処理装置１に限定されるものではなく、媒体を処理する装置であれば、本実施形態を適用することができる。
【０１０８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０９】
１  紙幣処理装置
１２  筐体
１３  後扉
１７  主制御部
１８  紙幣入出金機
２１  紙幣投入口
２２  紙幣受取口
２３  カード投入口
２５  操作表示部
２６  保守用操作表示部
３１  上部ユニット
３２  下部ユニット
４１  一時保留部
４２  収納庫
４３  搬送路
４４  リジェクト庫
４５  鑑別部
５０ａ、５０ｂ、５０ｃ、５０ｄ、８５  センサ
６０  紙幣
７０、７０ａ、７０ｂ  残留紙幣表示
７１  解消表示
８０  カバー
８１  突起
８２  棒
８３  取手
８４  凹部
９１  切欠き
１１８、１２１、１２２、１３１、１３２，１４１、１４２、１４３、１４４、１４５、１４６  表示
【図１】
0006519000.tif 000002
【図２】
0006519000.tif 000003
【図３】
0006519000.tif 000004
【図４】
0006519000.tif 000005
【図５】
0006519000.tif 000006
【図６】
0006519000.tif 000007
【図７】
0006519000.tif 000008
【図８】
0006519000.tif 000009
【図９】
0006519000.tif 000010
【図１０】
0006519000.tif 000011
【図１１】
0006519000.tif 000012
【図１２】
0006519000.tif 000013
【図１３】
0006519000.tif 000014
【図１４】
0006519000.tif 000015
【図１５】
0006519000.tif 000016
【図１６】
0006519000.tif 000017
【図１７】
0006519000.tif 000018
【図１８】
0006519000.tif 000019
【図１９】
0006519000.tif 000020
【図２０】
0006519000.tif 000021